(57)【要約】      （修正有）【課題】ダイヤルスイッチを大型化することなく、クリックポジション数を大幅に増加させること。【解決手段】ダイヤルノブ１０と、複数の遮蔽板を有しており、ダイヤルノブに取り付けられたギヤローター１１と、ギヤローターの回転を検出する少なくとも２つのセンサ１２と、を含み、複数の遮蔽板は、それぞれ、隣り合う遮蔽板の間にスリット部が設けられ、かつ、少なくとも２つの列をなして同心円状に配置されており、２つのセンサは、前記２つの列のそれぞれに対応づけて配置されている、ダイヤルスイッチである。【選択図】図１
2015220167.tif 000002
【特許請求の範囲】
【請求項１】
ダイヤルノブと、
複数の遮蔽板を有しており、前記ダイヤルノブに取り付けられたギヤローターと、
前記ギヤローターの回転を検出する少なくとも２つのセンサと、
を含み、
前記複数の遮蔽板は、それぞれ、隣り合う遮蔽板の間にスリット部が設けられ、かつ、少なくとも２つの列をなして同心円状に配置されており、
前記２つのセンサは、前記２つの列のそれぞれに対応づけて配置されている、
ダイヤルスイッチ。
【請求項２】
前記複数の遮蔽板は、前記同心円の径方向に隣り合う列同士で各遮蔽板の配置が半ピッチずらして配置されている、
請求項１に記載のダイヤルスイッチ。
【請求項３】
前記２つのセンサがそれぞれフォトインタラプタである、
請求項１又は２に記載のダイヤルスイッチ。
【発明の詳細な説明】
【技術分野】
【０００１】
本発明は、フォトインタラプタ等を用いてダイヤルノブの回転を検知するダイヤルスイッチに関する。
【背景技術】
【０００２】
例えば、車両に設置されるエアコンにおける設定温度を調整するために、操作パネルにダイヤルスイッチが備わっている場合がある。このようなダイヤルスイッチの一種として、一対のフォトインタラプタを用いて非接触にダイヤルノブの回転を検知するものが知られている（例えば、特許文献１参照）。
【０００３】
ところで、例えば上記したエアコンの設定温度を調整する場合に、より細かく設置値を調整したいという要望がある。例えば、従来は１℃刻みであったのを０．５℃刻みにしたいという要望である。この場合には、ダイヤルスイッチのクリックポジション数を増やす必要が生じる。この場合に、フォトインタラプタを用いたダイヤルスイッチでは、円形状に配置された複数の遮蔽板と複数のスリットによる山谷をフォトインタラプタによって検出する原理上、遮蔽板とスリットの数を増やす必要がある。しかしながら、遮蔽板とスリットの数を増やすほどダイヤルスイッチが大型化してしまうという不都合がある。
【先行技術文献】
【特許文献】
【０００４】
【特許文献１】特開２０１０−２５１１１８号公報
【発明の概要】
【発明が解決しようとする課題】
【０００５】
本発明に係る具体的態様は、ダイヤルスイッチを大型化することなく、クリックポジション数を大幅に増加させることが可能な技術を提供することを目的の１つとする。
【課題を解決するための手段】
【０００６】
本発明に係る一態様のダイヤルスイッチは、（ａ）ダイヤルノブと、（ｂ）複数の遮蔽板を有しており、前記ダイヤルノブに取り付けられたギヤローターと、（ｃ）前記ギヤローターの回転を検出する少なくとも２つのセンサと、を含み、（ｄ）前記複数の遮蔽板は、それぞれ、隣り合う遮蔽板の間にスリット部が設けられ、かつ、少なくとも２つの列をなして同心円状に配置されており、（ｅ）前記２つのセンサは、前記２つの列のそれぞれに対応づけて配置されている、ダイヤルスイッチである。
【０００７】
上記構成によれば、ダイヤルスイッチを大型化することなく、クリックポジション数を大幅に増加させることが可能となる。
【０００８】
上記のダイヤルスイッチにおいて、前記複数の遮蔽板は、前記同心円の径方向に隣り合う列同士で各遮蔽板の配置が半ピッチずらして配置されていることも好ましい。また、前記２つのセンサがそれぞれフォトインタラプタであることも好ましい。
【図面の簡単な説明】
【０００９】
【図１】図１は、一実施形態のダイヤルスイッチの構成を示す斜視図である。
【図２】図２は、ギヤローターの各遮蔽板の構造を示す模式的な平面図である。
【発明を実施するための形態】
【００１０】
以下に、本発明の実施の形態について図面を参照しながら説明する。
【００１１】
図１は、一実施形態のダイヤルスイッチの構成を示す斜視図である。図１に示すダイヤルスイッチは、ダイヤルノブ１０、ギヤローター１１、４つのフォトインタラプタ１２を含んで構成されている。このダイヤルスイッチは、例えば車両のエアコンにおける操作パネルに設けられ、温度設定を調整するために用いられる。
【００１２】
ダイヤルノブ１０は、ギヤローター１１とともに図示しない基板等に支持された略円筒状の部材であり、時計回りおよび反時計回りのいずれへも回転自在に構成されている。
【００１３】
ギヤローター１１は、ダイヤルノブ１０と一体に形成された略円盤状の部材であり、その一面側に複数の遮蔽板が設けられている。
【００１４】
各フォトインタラプタ１２は、図示しない基板等に支持されており、ギヤローター１１に設けられた複数の遮蔽板の回転軌跡に対向するように配置されている。これらのフォトインタラプタ１２は、それぞれ発光部と受光部を備えており、間欠的に配置された遮蔽板の通過に伴って、オン信号およびオフ信号を出力する。
【００１５】
図２は、ギヤローターの各遮蔽板の構造を示す模式的な平面図である。ギヤローター１１の一面側には、複数の遮蔽板１１ａ、１１ｂが設けられている。詳細には、複数の遮蔽板１１ａは、円周上において列をなして配置されており、隣り合うもの同士の間にそれぞれスリット部が設けられている。本例では、各遮蔽板１１ａの円周上の長さとスリット部の円周上の長さとがほぼ等しい。同様に、複数の遮蔽板１１ｂは、円周上において列をなして配置されており、隣り合うもの同士の間にそれぞれスリット部が設けられている。本例では、各遮蔽板１１ｂの円周上の長さとスリット部の円周上の長さとがほぼ等しい。
【００１６】
図示のように、各遮蔽板１１ａと各遮蔽板１１ｂは同心円状に配置されており、各遮蔽板１１ａよりも内側に各遮蔽板１１ｂが配置されている。また、各遮蔽板１１ａと各遮蔽板１１ｂとは、互いに半ピッチ分だけずらして配置されている。具体的には、隣り合う２つの遮蔽板１１ａの間のスリット部と１つの遮蔽板１１ｂとが同心円の径方向において対向し、かつ、隣り合う２つの遮蔽板１１ｂの間のスリット部と１つの遮蔽板１１ａとが同心円の径方向において対向するように各遮蔽板が配置されている。
【００１７】
２つのフォトインタラプタ１２ａ、１２ｂは各遮蔽板１１ａの回転軌跡上に配置されている。これらによってクリックポジションが検出される。また、図示しない制御装置においては、フォトインタラプタ１２ａとフォトインタラプタ１２ｂのどちらのオン信号が先に出力されたかを判定することにより、ダイヤルノブ１０の回転方向を検出することができる。
【００１８】
同様に、２つのフォトインタラプタ１２ｃ、１２ｄは各遮蔽板１１ｂの回転軌跡上に配置されている。これらによってクリックポジションが検出される。また、図示しない制御装置においては、フォトインタラプタ１２ｃとフォトインタラプタ１２ｄのどちらのオン信号が先に出力されたかを判定することにより、ダイヤルノブ１０の回転方向を検出することができる。
【００１９】
本実施形態のダイヤルスイッチは、各遮蔽板１１ａと各遮蔽板１１ｂを同心円状に配置し、かつ同心円の径方向において互いに半ピッチ分だけずらして配置しているので、図示のように、例えば、フォトインタラプタ１２ａが１つの遮蔽板１１ａの通過を検出してオン信号を出力するときに、フォトインタラプタ１２ｃが１つのスリット部を検出してオフ信号を出力するように各フォトインタラプタ１２ａ等を配置しておけば、全体として得られるクリックポジション数を倍増させることができる。
【００２０】
すなわち本実施形態によれば、ダイヤルスイッチを大型化することなく、クリックポジション数を大幅に増加させることが可能となる。別言すれば、クリックポジション数を減らさずにダイヤルスイッチを小型化することが可能になる。
【００２１】
なお、本発明は上述した実施形態の内容に限定されるものではなく、本発明の要旨の範囲内において種々に変形して実施をすることが可能である。例えば、上記した実施形態では２列分の各遮蔽板を同心円状に配置した場合を例示していたが、３列またはそれ以上に各遮蔽板を配置してもよい。また、各遮蔽板の通過を検出する手段はフォトインタラプタに限定されず、他の手段（例えばディテクタスイッチ）であってもよい。
【符号の説明】
【００２２】
１０：ダイヤルノブ
１１：ギヤローター
１１ａ、１１ｂ：遮蔽板
１２、１２ａ、１２ｂ、１２ｃ、１２ｄ：フォトインタラプタ
【図２】
2015220167.tif 000003
【図１】
2015220167.tif 000004